(57)【要約】【課題】水が侵入するのを防止できるブッシングおよび水が浸入し難いモータを提供すること。【解決手段】ブッシングは、外周囲に継ぎ目が無いと共に、貫通穴（２）を有するハウジング（１）と、このハウジング（１）の貫通穴（２）に挿入される挿入部材（２０）とを含み、上記ハウジング（１）の貫通穴（２）の内面と上記挿入部材（２０）の外面とが、リード線（３０）を保持することが可能であるように構成されている。【選択図】図１
2018007368.tif 000002
【特許請求の範囲】
【請求項１】
外周囲に継ぎ目が無いと共に、貫通穴（２）を有するハウジング（１，４０）と、
このハウジング（１，４０）の貫通穴（２）に挿入される挿入部材（２０，５０，６１，６２）と
を備え、
上記ハウジング（１，４０）の貫通穴（２）の内面と上記挿入部材（２０，５０）の外面とが、リード線（３０）を保持することが可能であるように構成されていることを特徴とするブッシング。
【請求項２】
請求項１に記載のブッシングにおいて、
上記ハウジング（１，４０）の貫通穴（２）の内面に、上記リード線（３０）を保持するための第１保持部（５）を有すると共に、
上記挿入部材（２０，５０，６１，６２）の外面に、上記リード線（３０）を保持するための第２保持部（２５）を有し、
上記第１保持部（５）と第２保持部（２５）とは互いに対向して上記リード線（３０）を把持することが可能であることを特徴とするブッシング。
【請求項３】
請求項２に記載のブッシングにおいて、
上記第１保持部（５）および第２保持部（２５）は、湾曲した凹部であることを特徴とするブッシング。
【請求項４】
請求項１から３のいずれか１つに記載のブッシングにおいて、
上記貫通穴（２）の貫通方向の少なくとも一方の上記ハウジング（１）の端は膨出した凸部（１１）を有することを特徴とするブッシング。
【請求項５】
請求項４に記載のブッシングにおいて、
上記膨出した凸部（１１）は、上記リード線（３０）を囲むように環状に連なっていることを特徴とするブッシング。
【請求項６】
請求項１から５までのいずれか１つに記載のブッシングにおいて、
上記貫通穴（２）の延在する方向の上記ハウジング（１）の長さが、上記貫通穴（２）の延在する方向の上記挿入部材（２０）の長さよりも長くて、上記ハウジング（１）の下部の内周面と上記挿入部材（２０）の下端面とによって、凹部（８）が形成されていることを特徴とするブッシング。
【請求項７】
請求項１から５までのいずれか１つに記載のブッシングにおいて、
上記ハウジング（４０）の下部と上記挿入部材（５０）の下部とによって、上記リード線（３０）の下部の回りに空隙を形成する個別凹部（６８）が形成されていることを特徴とするブッシング。
【請求項８】
請求項１から７までのいずれか１つに記載のブッシングにおいて、
上記ハウジング（１，４０）および挿入部材（２０，５０，６１，６２）は、樹脂からなることを特徴とするブッシング。
【請求項９】
請求項１から８までのいずれか１つに記載のブッシングにおいて、
上記挿入部材（６１，６２）を複数個備えることを特徴とするブッシング。
【請求項１０】
請求項２または３に記載のブッシングにおいて、
上記第１保持部（５）の上記リード線（３０）の延在する方向の少なくとも２つの部分の間に位置すると共に、上記第２保持部（２５）の上記リード線（３０）の延在する方向の少なくとも２つの部分の間に位置して、上記リード線（３０）の回りに空隙を形成する凹所（１７，２７）を有することを特徴とするブッシング。
【請求項１１】
請求項１から１０までのいずれか１つに記載のブッシングにおいて、
上記貫通穴（２）に設けられた係合部（６）と上記挿入部材（２０，５０，６１，６２）に設けられた係合部（２６）とが貫通穴（２）の貫通方向に係合していることを特徴とするブッシング。
【請求項１２】
リード線（３０）が貫通する方向の少なくとも一方の端に、上記リード線（３０）を囲むように環状に連なっている膨出した凸部（１１）を有する筒体（７０）であることを特徴とするブッシング。
【請求項１３】
請求項１から１２までのいずれか１つに記載のブッシング（１００）の一部が本体（８０）から突出または露出していることを特徴とするモ−タ。
【請求項１４】
樹脂からなる本体（８０）と、
固定子（８１）と、
回転子（８５）と、
請求項１から１２までのいずれか１つに記載のブッシング（１００）と
を備え、
上記固定子（８１）および上記ブッシング（１００）は、モールド成形された上記樹脂からなる本体（８０）に一体化されていることを特徴とするモータ。
【請求項１５】
請求項１３または１４に記載のモータにおいて、
上記ブッシング（１００）は、下方に向いて上記本体（８０）から突出または露出していることを特徴とするモ−タ。
【発明の詳細な説明】
【技術分野】
【０００１】
この発明は、ブッシングおよびモータに関する。
【背景技術】
【０００２】
従来、モータのリード線を保持するブッシングとしては、特開２００９−１１２０６７号公報（特許文献１）の図６および７に示されているように、リード線を挟む２つ割の挟み部材からなるものがある。そして、このブッシングはモータの樹脂本体に挿入して、この樹脂本体の凹部とブッシングとの間にゴム製の防水部材を配置して、モータ内に水が侵入しないようにしている。
【先行技術文献】
【特許文献】
【０００３】
【特許文献１】特開２００９−１１２０６７号公報
【発明の概要】
【発明が解決しようとする課題】
【０００４】
しかしながら、上記従来のブッシングでは、２つ割の挟み部材でリード線を挟んでいるため、ブッシングの外周面に挟み部材の合わせ面（界面）が露出して、防水部材があっても、この界面から水がブッシング内に入り、ひいては、モータ内に水が侵入するという問題がある。
【０００５】
そこで、この発明の課題は、モータ内に水が侵入するのを防止できるブッシングおよび水が浸入し難いモータを提供することにある。
【課題を解決するための手段】
【０００６】
上記課題を解決するため、この第１の発明のブッシングは、
外周囲に継ぎ目が無いと共に、貫通穴を有するハウジングと、
このハウジングの貫通穴に挿入される挿入部材と
を備え、
上記ハウジングの貫通穴の内面と上記挿入部材の外面とが、リード線を保持することが可能であるように構成されていることを特徴としている。
【０００７】
上記構成のブッシングによれば、上記リード線は上記ハウジングの貫通穴の内面と、その貫通穴内に挿入された挿入部材の外面とによって保持されて、上記ハウジングの外周囲には継ぎ目が無いから、このハウジングによって、リード線を保持するハウジングの貫通穴の内面と挿入部材の外面と間に水が侵入することを防止できる。
【０００８】
したがって、このブッシングによれば、モータ内に水が浸入するのを防止できる。
【０００９】
１実施形態では、
上記ハウジングの貫通穴の内面に、上記リード線を保持するための第１保持部を有すると共に、
上記挿入部材の外面に、上記リード線を保持するための第２保持部を有し、
上記第１保持部と第２保持部とは互いに対向して上記リード線を把持することが可能である。
【００１０】
上記実施形態によれば、上記ハウジングの貫通穴の内面の第１保持部と上記挿入部材の外面の第２保持部とによって、上記リード線を確実に保持することができ、しかも、これらは外周囲に継ぎ目が無いハウジングによって外部に露出することがないから、水がこれらの箇所に侵入し難い。
【００１１】
１実施形態では、
上記第１保持部および第２保持部は、湾曲した凹部である。
【００１２】
上記実施形態によれば、上記第１保持部および第２保持部は、湾曲した凹部であるから、この湾曲した凹部である第１保持部と第２保持部とによって、リード線を隙間無く確実に把持することができる。
【００１３】
１実施形態では、
上記貫通穴の貫通方向の少なくとも一方の上記ハウジングの端は膨出した凸部を有する。
【００１４】
上記実施形態によれば、上記膨出した凸部を有するハウジングの端を下向きにすることによって、この膨出した凸部によって、ハウジング内に水が侵入するのを防止できる。
【００１５】
１実施形態では、
上記膨出した凸部は、上記リード線を囲むように環状に連なっている。
【００１６】
上記実施形態によれば、上記膨出した凸部が、上記リード線を囲むように環状に連なっているので、この切れ目のない環状の膨出した凸部によって、水がハウジング内に侵入するのを確実に防止でき、ひいては、水がリード線に沿って内部に侵入するのを防止できる。
【００１７】
１実施形態では、
上記貫通穴の延在する方向の上記ハウジングの長さが、上記貫通穴の延在する方向の上記挿入部材の長さよりも長くて、上記ハウジングの下部の内周面と上記挿入部材の下端面とによって、凹部が形成されている。
【００１８】
上記凹部を下向きにして上記ブッシングを配置すると、上記ハウジングの外周面に付着した水は、上記凹部によって、上記ハウジングの内側に侵入すること無く、滴下させることができる。
【００１９】
１実施形態では、
上記ハウジングの下部と上記挿入部材の下部とによって、上記リード線の下部の回りに空隙を形成する個別凹部が形成されている。
【００２０】
上記実施形態によれば、上記リード線の下部の回りに空隙を形成する個別凹部が形成されているから、ハウジングの外面に沿って滴下した水滴などがリード線の下部に沿って内部に侵入するのを防止できる。
【００２１】
１実施形態では、
上記ハウジングおよび挿入部材は、樹脂からなる。
【００２２】
上記実施形態によれば、上記ハウジングおよび挿入部材は、樹脂からなるので、それらがゴムからなる場合に比べて、過度に弾性がないから、組み付け性が向上する。
【００２３】
１実施形態では、
上記挿入部材を複数個備える。
【００２４】
多くのリード線を１つの挿入部材の外面とハウジングの貫通穴の内面とで保持しようとして、上記１つの挿入部材をハウジングの貫通穴に挿入しようとすると、上記挿入部材が多くのリード線の外面との摩擦抵抗によって貫通穴に挿入し難い場合がある。
【００２５】
しかし、上記実施形態のように、上記挿入部材を複数個とすると、各挿入部材と、その各挿入部材に対応する少ない数のリード線の外面との摩擦抵抗が小さくなって、各挿入部材をハウジングの貫通穴に挿入し易くなる。
【００２６】
１実施形態では、
上記第１保持部の上記リード線の延在する方向の少なくとも２つの部分の間に位置すると共に、上記第２保持部の上記リード線の延在する方向の少なくとも２つの部分の間に位置して、上記リード線の回りに空隙を形成する凹所を有する。
【００２７】
上記実施形態によれば、上記第１保持部の上記少なくとも２つの部分の間に位置すると共に、上記第２保持部の上記少なくとも２つの部分の間に位置して、上記リード線の回りに空隙を形成する凹所を有するから、これらの凹所によって縁切り用の空隙が形成されて、リード線を伝って水が内部に侵入するのを防止できる。
【００２８】
１実施形態では、
上記貫通穴に設けられた係合部と上記挿入部材に設けられた係合部とが貫通穴の貫通方向に係合している。
【００２９】
上記実施形態によれば、上記貫通穴に設けられた係合部と上記挿入部材に設けられた係合部とが貫通穴の貫通方向に係合しているから、上記挿入部材が貫通穴から脱落するのを防止できる。
【００３０】
この第２の発明のブッシングは、
リード線が貫通する方向の少なくとも一方の端に、上記リード線を囲むように環状に連なっている膨出した凸部を有する筒体であることを特徴としている。
【００３１】
この第２の発明では、上記リード線を囲むように環状に連なっている膨出した凸部を下向きに配置すると、この切れ目無く環状に連なった膨出した凸部によって、筒体内に水が侵入するのを防止できる。
【００３２】
１実施形態のモータでは、
上述のいずれかのブッシングの一部が本体から突出または露出している。
【００３３】
上記実施形態のモータでは、上述のブッシングを用いているので、ブッシングの一部が本体から突出または露出していても、雨などの水がブッシングやリード線を伝ってモータ内に侵入することがない。
【００３４】
１実施形態のモータは、
樹脂からなる本体と、
固定子と、
回転子と、
上述のいずれかのブッシングと
を備え、
上記固定子および上記ブッシングは、モールド成形された上記樹脂からなる本体に一体化されている。
【００３５】
上記実施形態のモータによれば、外周面に継ぎ目が無いハウジングを有するブッシングと、モールド成形された樹脂からなる本体とが一体化されているから、モータ内への水の侵入を防止でき、さらに、従来例のようなゴム製の防水部材を不要とできて、コストダウンをすることが可能である。
【００３６】
１実施形態のモータでは
上記ブッシングは、下方に向いて上記本体から突出または露出している。
【００３７】
上記実施形態によれば、上記ブッシングは、下方に向いて上記本体から突出または露出しているから、ハウジング内に水が入り難い。
【発明の効果】
【００３８】
この第１の発明によれば、外周囲に継ぎ目が無いハウジングの貫通穴の内面と、その貫通穴内に挿入された挿入部材の外面とによってリード線を保持するので、ブッシング内に水が浸入するのを防止できる。
【００３９】
また、この第２の発明によれば、ブッシング本体のリード線が貫通する方向の少なくとも一方の端に、上記リード線を囲むように環状に連なっている膨出した凸部を有するので、この切れ目無く環状に連なった膨出した凸部によって、ハウジング内に水が侵入するのを防止できる。
【図面の簡単な説明】
【００４０】
【図１】この発明の第１実施形態のブッシングの分解斜視図である。
【図２】第１実施形態のブッシングのハウジングの断面図である。
【図３】第１実施形態のブッシングの断面図である。
【図４】第１実施形態のブッシングの挿入部材の正面図である。
【図５】第１実施形態のブッシングの斜視図である。
【図６】第１実施形態のブッシングの下部の断面図である。
【図７】この発明の第２実施形態のブッシングの分解斜視図である。
【図８】第２実施形態のブッシングの斜視図である。
【図９】第２実施形態のブッシングのハウジングの断面図である。
【図１０】第２実施形態のブッシングの挿入部材の正面図である。
【図１１】この発明の第３実施形態のブッシングの挿入部材の正面図である。
【図１２】この発明の第４実施形態のブッシングの断面図である。
【図１３】この発明の第５実施形態のモータの断面図である。
【発明を実施するための形態】
【００４１】
以下、この発明を図示の実施形態により詳細に説明する。
【００４２】
（第１実施形態）
この発明の第１実施形態のブッシングは、図１に示すように、略角筒形状のハウジング１と、このハウジング１の略矩形の貫通穴２に矢印Ｘ方向に挿入される略板状の挿入部材２０とからなる。上記ハウジング１の貫通穴２の内面と挿入部材２０の外面とで図３および５に示すようにリード線３０，３０，３０を保持している。上記ハウジング１と挿入部材２０とは樹脂から作製している。
【００４３】
図１に示すように、上記ハウジング１の外周面には継ぎ目が無い一方、上記ハウジング１の内周面のランド部３には、第１保持部としての断面略円弧状の溝５，５，５有する。この円弧状の溝５，５，５は、湾曲した凹部の一例である。一方、上記挿入部材２０の外面の片側には、第２保持部としての断面略円弧状の溝２５，２５，２５有する。この円弧状の溝２５，２５，２５は、湾曲した凹部の一例である。
【００４４】
上記ハウジング１の内周面の略円弧状の溝５，５，５と挿入部材２０の外面の略円弧状の溝２５，２５，２５とは対向して、三本のリード線３０，３０，３０を確実に把持するようになっている。
【００４５】
また、図２および３に示すように、上記ハウジング１の内面の略円弧状の溝５，５，５の上側の部分５ａ，５ａ，５ａと下側の部分５ｂ，５ｂ，５ｂとの間には、略矩形の凹所１７を設けている。この凹所１７の深さは、図３に示すように、略円弧状の溝５，５，５の深さよりも大きな深さを有し、凹所１７の内面はリード線３０，３０，３０に接触しないようになっている。また、図１および４に示すように、上記挿入部材２０の外面の断面略円弧状の溝２５，２５，２５の上側の部分２５ａ，２５ａ，２５ａと下側の部分２５ｂ，２５ｂ，２５ｂとの間には、略矩形の凹所２７を設けている。この凹所２７の深さは、図３に示すように、略円弧状の溝２５，２５，２５の深さよりも大きな深さを有し、凹所２７の内面はリード線３０，３０，３０に接触しないようになっている。この凹所１７と２７とで、縁切り用の空隙３７を形成して、リード線３０，３０，３０を伝わってきた水をこの縁切り用の空隙３７で遮断して、水が内部に侵入するのを防止するようにしている。
【００４６】
また、上記貫通穴２の幅方向の両側には、図１および２に示すように、係合部に一例としての略矩形の係合穴６，６を設けている。上記係合穴６，６は、図２から分かるように、ハウジング１の内面の片側の上部の両側に位置している。一方、図１に示すように、上記挿入部材２０の外面の片側の上部の両側に係合部の一例としての略矩形の係合凸部２６，２６を設けている。この係合穴６，６と係合凸部２６，２６との貫通穴２の貫通方向の係合によって、挿入部材２０がハウジング１の貫通穴２から下方に脱落しないようになっている。
【００４７】
なお、ハウジング１および挿入部材２０に設ける係合部は、上述の係合穴６と係合凸部１６に限らず、係合凸部と係合穴であってもよく、また、係合部の形状は矩形に限らず、係合するならばどのような形状であってもよい。
【００４８】
また、図２，３，５，６に示すように、上記ハウジング１の下部１０側の端には、下方に膨出した凸部１１を有し、この下方に膨出した凸部１１によって、ハウジング１の外面を伝わって下降する水を下方に案内してハウジング１から落下させて、ハウジング１内に侵入しないようにしている。より詳しくは、図６に示すように、下方に膨出した凸部１１のハウジング１の外周面側の部分１１ａによって、ハウジング１の外周面に沿って落下してくる水滴Ｗは膨出部１１の先端１１ｃに向けて案内され、この先端１１ｃからハウジング１１と分離して、落下する。一方、下方に膨出した凸部１１のハウジング１の内周面側の部分１１ｂは先端１１ｃから上り曲面になっているから、内周面側の部分１１ｂに沿って水滴Ｗが上昇するのは重力に抗することになって、水滴Ｗはハウジング１内に入り難い。したがって、この下方に膨出した凸部１１によって、水滴がハウジング１の内周面側に入るのを防止できる。
【００４９】
なお、下方に膨出した凸部１１は断面円弧状に限らず、断面楕円形状、断面放物線形状、段面双曲線形状等であってもよく、湾曲して突出する断面形状ならばどのような形状であってもよい。
【００５０】
また、上記膨出した凸部１１は、ハウジング１の下端面全体に環状に連なって、リード線３０，３０，３０を囲んでいる。
【００５１】
このように、環状の膨出した凸部１１が切れ目無く、リード線３０，３０，３０全体を囲んでいるので、ハウジング１１の外面に沿って下降する水がハウジング１の内側に侵入するのを確実に防止しながら、ハウジング１から水滴Ｗを下方に案内して落下させることができる。
【００５２】
一方、図１に示すように、上記ハウジング１の高さ、つまり、貫通穴２の延在する方向のハウジング１の長さは、上記貫通穴２の延在する方向の挿入部材２０の長さ（つまり、挿入部材２０の矢印Ｘで示す挿入方向の長さ）よりも長くて、図３，５および６に示すように、上記ハウジング１の下部１０の内周面と挿入部材２０の下端面２１とによって、凹部８を形成している。
【００５３】
そのため、図６に示すように、上記凹部８を下向きにすると、ハウジング１の外周面に付着した水滴Ｗは、凹部８の内面に沿って重力に抗して上昇することが殆どない。したがって、上記凹部８の存在によって、より確実に、水滴Ｗをハウジング１の内側に侵入させること無く、滴下させることができるようになっている。
【００５４】
上記構成のブッシングにおいては、図１の矢印Ｘに示すように、ハウジング１の貫通穴２の内面の第１保持部の一例としての断面略円弧状の溝５，５，５にリード線３０，３０，３０を保持または搭載した状態で、挿入部材２０の第２保持部の一例としての断面略円弧状の溝２５，２５，２５をリード線３０，３０，３０に案内させつつ、挿入部材２０をハウジング１の貫通穴２内に挿入して、挿入部材２０の係合凸部２６をハウジング１の係合穴６に係合して、ハウジング１に挿入部材２０を組み付ける。
【００５５】
このとき、上記ハウジング１および挿入部材２０は樹脂からなるので、挿入部材２０の断面略円弧状の溝２５，２５，２５のリード線３０の絶縁被覆膜による摩擦抵抗は過度に大きくなくて、挿入部材２０はハウジング１の貫通穴２内にスムーズに組み付けることができる。
【００５６】
もし、ハウジングおよび挿入部材がゴム製であると、ゴムの弾性およびそのリード線に対する摩擦抵抗によって、ハウジング内に挿入部材を容易に挿入することができない場合がある。
【００５７】
また、上記挿入部材２０とハウジング１とは、係合凸部２６と係合穴６との係合によって一体化しているので、挿入部材２０がハウジング１の下方に突出したり、下方に脱落したりすることがない。
【００５８】
また、上記リード線３０，３０，３０はハウジング１の貫通穴２の内面と、その貫通穴２内に挿入された挿入部材２０の外面とによって保持されて、ハウジング１の外周囲に継ぎ目が無いから、このハウジング１の外周面に付着した水滴等がハウジング１内に侵入するのを防止できる。
【００５９】
したがって、このブッシングを用いたモータ内に水が浸入するのを防止できる。
【００６０】
また、上記第１保持部および第２保持部は、例えば、断面略円弧状の溝５，５，５；２５，２５，２５である湾曲した凹部であるから、リード線３０，３０，３０を隙間無く確実に把持することができる。
【００６１】
特に、この第１実施形態では、上記ハウジング１の内面の第１保持部としての湾曲した凹部の一例である断面略円弧状の溝５，５，５と、上記挿入部材２０の外面の第２保持部としての湾曲した凹部の一例である断面略円弧状の溝２５，２５，２５とは、互いに対向して三本のリード線３０，３０，３０を保持しているから、三本のリード線３０，３０，３０を極めて確実に隙間なく把持することができる。
【００６２】
しかも、これらの断面略円弧状の溝５，５，５と断面略円弧状の溝２５，２５，２５とは、外周囲に継ぎ目が無いハウジング１内に収容されていて、外部に露出することがないから、水がこれらの箇所に侵入し難い。
【００６３】
さらにまた、図２，３，５，６に示すように、上記ハウジング１の下部１０側の端面は下方に膨出した凸部１１になっているから、この下方に膨出した凸部１１によって、ハウジング１の外面を伝わって下降する水を下方に案内してハウジング１から落下させて、ハウジング内に侵入しないようにすることができる。より詳しくは、図６に示すように、下方に膨出した凸部１１のハウジング１の外周面側の部分１１ａによって、ハウジング１の外周面に沿って落下してくる水滴Ｗは膨出部１１の先端１１ｃに向けて案内されて、この先端１１ｃからハウジング１と分離して、落下する一方、下方に膨出した凸部１１のハウジング１の内周面側の部分１１ｂは先端１１ｃから上り曲面になっているから、内周面側の部分１１ｂに沿って上昇するのは重力に抗することになって、水滴Ｗがハウジング１内に入り難い。
【００６４】
したがって、この下方に膨出した凸部１１によって、水滴がハウジング１内に入るのを確実に防止できる。
【００６５】
さらに、上記膨出した凸部１１は、ハウジング１の下端面全体に環状に切れ目無く連なって、リード線３０，３０，３０全体を囲んでいるので、ハウジング１の外面に沿って下降する水を、ハウジング１の内側に侵入することを確実に防止しながら、ハウジング１から水滴Ｗを下方に案内して落下させることができる。
【００６６】
また、上記ハウジング１の高さ、つまり、貫通穴２の延在する方向のハウジング１の長さは、上記挿入部材２０の貫通穴２の延在する方向の長さよりも長くて、図３，５および６に示すように、上記ハウジング１の下部１０の内周面と挿入部材２０の下端面２１とによって、凹部８を形成しているから、この凹部８を図６に示すように、下向きにすると、ハウジング１の外周面に付着した水滴Ｗは、凹部８の内面に沿って重力に抗して上昇することが殆どない。したがって、上記凹部８の存在によって、より確実に、水滴Ｗをハウジング１の内側に侵入させること無く、滴下させることができる。
【００６７】
また、図２および３に示すように、上記ハウジング１の内面の略円弧状の溝５，５，５の上側の部分５ａ，５ａ，５ａと下側の部分５ｂ，５ｂ，５ｂとの間に設けた凹所１７の深さは、図３に示すように、略円弧状の溝５，５，５の深さよりも大きな深さを有し、凹所１７の内面はリード線３０，３０，３０に接触しないようにし、かつ、上記挿入部材２０の外面の断面略円弧状の溝２５，２５，２５の上側の部分２５ａ，２５ａ，２５ａと下側の部分２５ｂ，２５ｂ，２５ｂとの間に設けた凹所２７の深さは、図３に示すように、略円弧状の溝２５，２５，２５の深さよりも大きな深さを有し、凹所２７の内面はリード線３０，３０，３０に接触しないようにしている。したがって、この凹所１７と２７とで、縁切り用の空隙３７が形成されて、もし仮に、水がリード線３０，３０，３０を伝わってきても、水をこの縁切り用の空隙３７で遮断して、水が内部に侵入するのを防止することができる。
【００６８】
（第２実施形態）
図７はこの発明の第２実施形態のブッシングの分解斜視図であり、図８は第２実施形態のブッシングの斜視図であり、図９は上記ブッシングのハウジングの断面図であり、図１０は上記ブッシングの挿入部材の正面図である。
【００６９】
図７〜１０において、図１〜６図に示す第１実施形態の構成要素と同一構成要素については、図１〜６図に示す構成要素と同一参照番号を付して、それらの構成、作用についての詳しい説明は省略し、異なる構成要素について以下に説明する。
【００７０】
図７，９および１０において、リード線３０の延在方向、つまり、断面略円弧状の溝５，５，５と断面略円弧状の溝２５，２５，２５の延在方向について、ハウジング４０と挿入部材５０とは同じ長さを有する。
【００７１】
図９および１０に示すように、上記ハウジング４０の下部の内面に断面略円弧状の溝５，５，５に夫々連なると共に、略円弧状の溝５，５，５よりも深い深さを有する個別凹所４７，４７，４７を形成し、かつ、挿入部材５０の下部の外面に断面略円弧状の溝２５，２５，２５に夫々連なると共に、略円弧状の溝２５，２５，２５よりも深い深さを有する個別凹所５７，５７，５７を形成している。これらの個別凹所４７，４７，４７と個別凹所５７，５７，５７とを対向させて、図８に示す個別凹部６８，６８，６８を形成して、リード線３０，３０，３０の回りに遮断用の空隙を形成している。
【００７２】
これによって、ハウジング４０の外面に沿って滴下する水滴がリード線３０，３０，３０に伝わらなくて、水滴の内部への侵入を防止できる。
【００７３】
なお、この第２実施形態のブッシングでは、第１実施形態のブッシングでは設けた下方に膨出した凸部１１を設けていないが、この下方に膨出した凸部１１を設ける方がより望ましいことは言うまでもない。
【００７４】
（第３実施形態）
図１１はこの発明の第３実施形態のブッシングの要部である挿入部材６１，６２の正面図である。この第３実施形態のブッシングは挿入部材６１，６２の構成のみが第１実施形態のブッシングと異なる。したがって、図１１において、図４に示す第１実施形態の挿入部材２０の構成要素と同一構成については、図４に示す構成要素と同一参照番号を付して、それらの構成、作用についての説明は省略し、異なる構成要素について以下に説明する。なお、第１実施形態の図１に示すハウジング１を援用する。
【００７５】
この第３実施形態のブッシングは、図１１に示すように、２つの挿入部材６１，６２を含む。この挿入部材６１，６２は図１に示すハウジング１の貫通穴２に並べて挿入される。
【００７６】
このとき、挿入部材６１は２つの断面略円弧状の溝２５，２５を図１に示すリード線３０，３０に嵌合させつつ、貫通穴２に挿入し、挿入部材６２は１つの断面略円弧状の溝２５を図１に示すリード線３０に嵌合させつつ、貫通穴２に挿入する。
【００７７】
このように、挿入部材６１，６２を複数個としているから、各挿入部材６１，６２とリード線３０，３０；３０との挿入時の摩擦抵抗が小さくなって、挿入部材６１，６２をハウジング１の貫通穴２に挿入し易くなる。
【００７８】
もし仮に、多くのリード線の全てを１つの挿入部材の外面とハウジングの貫通穴の内面とで保持しようとして、上記１つの挿入部材をハウジングの貫通穴に挿入しようとすると、上記挿入部材が多くのリード線の外面との摩擦抵抗によって貫通穴に挿入し難いことがあるのである。
【００７９】
（第４実施形態）
図１２はこの発明の第４実施形態のブッシングの断面図である。
【００８０】
この図１２に示すブッシングは、ゴムまたは樹脂製の外周面に継ぎ目がない筒体７０からなる。この筒体７０の貫通孔７２にリード線３０を密に嵌合して貫通しており、この筒体７０のリード線３０が貫通する方向の少なくとも一方の端としての下端に、このリード線３０を囲むように切れ目なく環状に連なって下方に膨出する凸部１１を有する。
【００８１】
この下方に切れ目無く環状に連なった下方に膨出した凸部１１によって、筒体７０の外面に沿って滴下する水滴が、筒体７０の内面に入ること無く、下方に案内されて滴下することは、第１実施形態の下方に膨出した凸部１１の作用と同様である。この下方に膨出した凸部１１の詳しい作用は、第１実施形態の下方に膨出した凸部１１の説明と全く同一であるので、重複を避けるために、同一番号を付して説明を省略する。
【００８２】
また、上記筒体７０の下部の内周面とリード線３０との間に縁切り用の空隙７８を設けて、リード線３０の外面または筒体７０の下部の内周面に沿って、水滴が上昇しないようにしている。
【００８３】
なお、この第４実施形態では、下方に膨出した凸部１１を筒体７０の下端に設けたが、上端にも設けてもよい。
【００８４】
（第５実施形態）
図１３はこの発明の第５実施形態のモータの断面図である。
【００８５】
この第５実施形態のモータは、モールド樹脂からなる本体８０と、積層鉄心からなる固定子８１と、この固定子８１に巻回したコイル８２と、軸８３と、この軸８３に固定した積層鉄心から回転子８５と、この回転子８５に埋設した磁石８６と、ブッシング１００とを備える。
【００８６】
このブッシング１００は、第１〜第４実施形態のいずれかに記載のブッシングである。上記固定子８１およびブッシング１００と、モールド樹脂からなる本体８０とは、モールド成形により一体化されており、上記ブッシング１００の一部１００ａは本体８０から下方に突出している。
【００８７】
なお、９１，９２は上記軸８３を回転自在に支持する軸受、９３はブラケット、９５はリード線３０に電気接続される基板である。
【００８８】
上記構成のモータによれば、上述のブッシング１００を用いているので、ブッシング１００の一部１００ａが本体８０から下方に突出または露出していても、雨などの水がブッシング１００やリード線３０を伝ってモータ内に侵入することがない。
【００８９】
上記ブッシング１００の外周囲に継ぎ目が無いハウジング１，４０または筒体７０（第１〜第４実施形態を参照）と、樹脂からなる本体８０とがモールド成形されて一体化されているから、モータ内への水の侵入を防止でき、さらに、従来例のようなゴム製の防水部材を不要とすることが可能で、コストダウンをすることが可能である。
【００９０】
なお、上記第５実施形態では、ブッシング１００の一部１００ａが、モールド樹脂からなる本体８０から下方に突出していたが、側方に突出していてもよい。また、ブッシング１００はモールド樹脂からなる本体８０から突出していなくて、単に露出しているだけであってもよい。
【００９１】
また、モータの本体はモールド樹脂に限らず、どのような材質であってもよい。
【００９２】
第１〜第５実施形態および変形例で述べた構成要素は、適宜、組み合わせてもよく、また、適宜、選択、置換、あるいは、削除してもよいのは、勿論である。
【符号の説明】
【００９３】
１，４０  ハウジング
２  貫通穴
５  第１保持部
８  凹部
１１  凸部
１７，２７  凹所
２０，５０，６１，６２  挿入部材
２５  第２保持部
３０  リード線
６８  個別凹部
７０  筒体
８０  樹脂からなる本体
８１  固定子
８５  回転子
１００  ブッシング
【図１】
2018007368.tif 000003
【図２】
2018007368.tif 000004
【図３】
2018007368.tif 000005
【図４】
2018007368.tif 000006
【図５】
2018007368.tif 000007
【図６】
2018007368.tif 000008
【図７】
2018007368.tif 000009
【図８】
2018007368.tif 000010
【図９】
2018007368.tif 000011
【図１０】
2018007368.tif 000012
【図１１】
2018007368.tif 000013
【図１２】
2018007368.tif 000014
【図１３】
2018007368.tif 000015